(57)【要約】  【課題】  野球又はサッカー等の放送時間が延長される可能性がある番組をＥＰＧから検索し、記録予約の終了時刻を延長する場合に、番組の放送状況又はＥＰＧの内容等に柔軟に対応して検索を行うことができ、また、ユーザが終了時刻の延長設定を行いやすい記録装置を提供する。  【解決手段】  検索に用いる複数のキーワードをユーザが設定可能とし、より検索効率が高いキーワードを設定することができるようにする。また、各キーワードに重み付けを行い、キーワードに付された重みを考慮して、記録予約に係る番組の放送時間が変更される可能性の程度を算出し、ユーザが記録予約の終了時刻の延長設定を行う場合の参考データとして表示する。【選択図】      図３
2007060276.tif 000002
【特許請求の範囲】
【請求項１】
放送される番組を受信する受信手段と、
該受信手段が受信する番組に係る番組情報を取得する手段と、
番組の放送時間延長の可能性の有無を判定するためのキーワードを複数記憶するキーワード記憶手段と、
該キーワード記憶手段が記憶するキーワードを受け付けるキーワード受付手段と、
記憶したキーワードを含む番組を番組情報から検索する検索手段と、
前記受信手段が受信した番組を記録する記録手段と、
該記録手段による記録時刻を含む番組の記録予約を受け付ける手段と
を備えることを特徴とする記録装置。
【請求項２】
記録予約に係る番組が、前記検索手段が検索した番組に含まれているか否かに応じて、放送時間が変更される可能性があるか否かを判定する判定手段と、
該判定手段が、放送時間が変更される可能性があると判定した場合に、報知を行う報知手段と
を備える請求項１に記載の記録装置。
【請求項３】
記録予約に係る番組の前の時間帯に放送され、且つ、記録予約に係る番組と同じチャンネルで放送される番組が、前記検索手段が検索した番組に含まれているか否かに応じて、記録予約に係る番組の放送時間が変更される可能性があるか否かを判定する判定手段と、
該判定手段が、放送時間が変更される可能性があると判定した場合に、報知を行う報知手段と
を備える請求項１又は請求項２に記載の記録装置。
【請求項４】
前記判定手段が記録予約に係る番組の放送時間が変更される可能性があると判定した場合、
前記記録予約に係る番組の番組情報に含まれるキーワードに応じて、前記記録予約に係る番組の放送時間が変更される可能性の程度を算出する算出手段を備え、
前記報知手段は、前記算出手段が算出した放送時間が変更される可能性の程度を報知するようにしてある請求項２に記載の記録装置。
【請求項５】
前記判定手段が記録予約に係る番組の放送時間が変更される可能性があると判定した場合、
前記検索手段が検索した番組に含まれ、前記記録予約に係る番組の前の時間帯に放送され、且つ、記録予約に係る番組と同じチャンネルで放送される番組の番組情報に含まれるキーワードに応じて、前記記録予約に係る番組の放送時間が変更される可能性の程度を算出する算出手段を備え、
前記報知手段は、前記算出手段が算出した放送時間が変更される可能性の程度を報知するようにしてある請求項３に記載の記録装置。
【請求項６】
前記キーワード記憶手段が記憶したキーワードに、それぞれ重み付けを行う手段を備え、
前記算出手段は、各キーワードに付された重みに応じて、記録予約に係る番組の放送時間が変更される可能性の程度を算出するようにしてある請求項４又は請求項５に記載の記録装置。
【請求項７】
前記判定手段が記録予約に係る番組の放送時間が変更される可能性があると判定した場合に、前記記録予約に係る番組の記録時刻を変更するか否かの指示を受け付ける手段を備える請求項２乃至請求項６のいずれか１つに記載の記録装置。
【請求項８】
記録予約の記録時刻を延長する時間を受け付ける延長時間受付手段と、
前記判定手段が放送時間が変更される可能性があると判定した番組に係る記録予約の記録時刻を、前記延長時間受付手段が受け付けた時間遅らせる時刻変更手段と
を備える請求項２乃至請求項７のいずれか１つに記載の記録装置。
【請求項９】
前記キーワード記憶手段には、予め一又は複数のキーワードを記憶してあり、
前記キーワード受付手段は、予め記憶してあるキーワードを、受け付けたキーワードに変更可能にしてある請求項１乃至請求項８のいずれか１つに記載の記録装置。
【発明の詳細な説明】
【技術分野】
【０００１】
本発明は、放送信号を受信して放送信号に含まれる番組を記録媒体に記録する記録装置に関する。更には、予め記録の開始時刻及び終了時刻等を設定することで番組の記録を行う予約記録の機能を備えた記録装置に関する。
【背景技術】
【０００２】
従来から、テレビ番組の記録を行うビデオデッキ及びハードディスクレコーダ等の記録装置は、ユーザが予め記録の開始時刻及び終了時刻を設定しておくことにより、ユーザの留守中にテレビ番組の記録を行うことが可能な予約記録の機能を備えている。また、近年においては、番組と共に送信される電子番組ガイド情報（以下、ＥＰＧ（Ｅｌｅｃｔｒｏｎｉｃ  Ｐｒｏｇｒａｍ  Ｇｕｉｄｅ）という）を用いて番組表を表示し、番組表から記録を行いたい番組を選択することで記録の予約を行うことができる記録装置が実用化されている。
【０００３】
また、特許文献１においては、ユーザが入力したキーワードを含む番組をＥＰＧから検索し、検索された番組を自動的に記録することができる番組検索装置が提案されている。これにより、例えばユーザがキーワードとして「サッカー」を入力した場合には、サッカー中継が全て自動的に記録されるため、ユーザが番組毎に予約を行う必要がなく、所望の番組を見逃す虞が少なくなるという利点がある。
【０００４】
しかし、野球又はサッカー等のスポーツ番組は、予定時間内に試合が終了せず、番組の放送時間が延長される可能性がある。放送時間が延長された場合であっても、予約記録は設定された終了時刻に記録を終了するため、スポーツ番組を最後まで記録できないという問題がある。また、番組自体が延長されることはないドラマ及び映画等の番組であっても、スポーツ番組の後に放送される場合には、番組の開始時刻及び終了時刻が遅れるため、番組を最後まで記録できないという問題がある。
【０００５】
デジタル放送では、番組の延長が発生した場合、ＥＰＧが自動的に更新されるため、更新されたＥＰＧを受信した記録装置が、記録予約の開始時刻及び終了時刻を変更して番組の記録を行うことができる。しかし、アナログ放送の場合には、番組の延長が発生した場合であっても、ＥＰＧは更新されない。よって、アナログ放送の番組を記録する記録装置は、番組の延長を判断することができないため、自動的に記録予約を変更できず、ユーザが、延長の可能性を考慮して、記録予約の終了時刻を遅らせて設定することで対処していた。
【０００６】
特許文献２においては、放送時間の延長の可能性の有無を表すキーワード、例えば「最大延長」を含む番組をＥＰＧから検索し、このキーワードに付随する最大延長時刻を表す時間情報を読み取り、読み取った時間情報に応じて記録予約の終了時刻を変更する録画再生装置が提案されている。これにより、放送時間が延長される可能性がある番組、又は放送の開始時刻及び終了時刻が遅れる可能性がある番組を最後まで記録できる。
【特許文献１】特開２００２−２５２８１３号公報
【特許文献２】特開２００４−２８９５６５号公報
【発明の開示】
【発明が解決しようとする課題】
【０００７】
特許文献２に記載の録画再生装置は、延長される可能性がある番組をＥＰＧから検索する場合に用いるキーワードは、装置にて予め決められたキーワードを用いるものであった。しかし、このキーワードは、延長される可能性がある番組を必ず検索できるというものではなく、例えば延長される可能性がある野球放送は検索できるが、サッカー放送又はバレーボール放送等の他の放送は検索できないという虞がある。検索に用いるキーワードが固定であるため、固定のキーワードで検索できない番組がＥＰＧに含まれている場合には、同じ番組が以後繰り返し放送されたとしても、録画再生装置がこの番組を検索することは不可能である。
【０００８】
本発明は、斯かる事情に鑑みてなされたものであって、その目的とするところは、ユーザからのキーワードの入力を受け付けて、放送時間が変更される可能性がある番組の検索に用いるキーワードを、追加又は変更する構成とすることにより、番組の放送状況又はＥＰＧの内容等に柔軟に対応でき、放送時間が変更される可能性がある番組をより確実に検索することができる記録装置を提供することにある。
【０００９】
また本発明の他の目的とするところは、記録予約に係る番組に検索用のキーワードが含まれている場合、放送時間が延長される可能性があると判定し、ユーザに対して報知する構成とすることにより、野球又はサッカー等の放送時間が延長される可能性がある番組を確実に記録することができる記録装置を提供することにある。
【００１０】
また本発明の他の目的とするところは、記録予約に係る番組と同じチャンネルで前の時間帯に放送される番組に検索用のキーワードが含まれている場合、記録予約に係る番組を放送時間が変更される可能性がある番組と判定し、ユーザに対して報知する構成とすることにより、野球又はサッカー等の後に放送される番組を確実に記録することができる記録装置を提供することにある。
【００１１】
また本発明の他の目的とするところは、記録予約に係る番組の番組情報に含まれるキーワードに応じて、番組の放送時間が変更される可能性の程度を算出してユーザに報知する構成とすることにより、ユーザが記録予約の記録時刻の変更を行うか否かを判断しやすい記録装置を提供することにある。
【００１２】
また本発明の他の目的とするところは、記録予約に係る番組の前の時間帯に同じチャンネルで放送される番組の番組情報に含まれるキーワードに応じて、番組の放送時間が変更される可能性の程度を算出してユーザに報知する構成とすることにより、ユーザが記録予約の記録時刻の変更を行うか否かを判断しやすい記録装置を提供することにある。
【００１３】
また本発明の他の目的とするところは、キーワードに対して重み付けを行い、番組の放送時間が変更される可能性の程度の算出を行う際に、キーワードに付された重みを考慮して算出を行う構成とすることにより、番組の放送状況又はＥＰＧの内容等に対応して変更の可能性の程度を算出できる記録装置を提供することにある。
【００１４】
また本発明の他の目的とするところは、記録予約に係る番組の放送時間が変更される可能性がある場合に、記録予約の記録時刻を変更するか否かを受け付ける構成とすることにより、記録時刻の変更をユーザが行うことができる記録装置を提供することにある。
【００１５】
また本発明の他の目的とするところは、ユーザから延長時間を受け付けて、受け付けた延長時間に応じて記録予約の終了時刻を遅らせる構成とすることにより、番組の放送状況又はＥＰＧの内容等に適した記録時間の延長を行うことができる記録装置を提供することにある。
【００１６】
また本発明の他の目的とするところは、予め一又は複数のキーワードを記憶しておく構成とすることにより、ユーザが使用しやすい記録装置を提供することにある。
【課題を解決するための手段】
【００１７】
本発明に係る記録装置は、放送される番組を受信する受信手段と、該受信手段が受信する番組に係る番組情報を取得する手段と、番組の放送時間延長の可能性の有無を判定するためのキーワードを複数記憶するキーワード記憶手段と、該キーワード記憶手段が記憶するキーワードを受け付けるキーワード受付手段と、記憶したキーワードを含む番組を番組情報から検索する検索手段と、前記受信手段が受信した番組を記録する記録手段と、該記録手段による記録時刻を含む番組の記録予約を受け付ける手段とを備えることを特徴とする。
【００１８】
本発明においては、ユーザからのキーワードの入力を受け付け、受け付けたキーワードを用いてＥＰＧから放送時間が延長される可能性がある番組を検索する。ユーザは、検索用のキーワードを追加又は変更することができ、番組の放送状況又はＥＰＧの内容等に応じて、より検索効率の高いキーワードを設定することができる。
【００１９】
また、本発明に係る記録装置は、記録予約に係る番組が、前記検索手段が検索した番組に含まれているか否かに応じて、放送時間が変更される可能性があるか否かを判定する判定手段と、該判定手段が、放送時間が変更される可能性があると判定した場合に、報知を行う報知手段とを備えることを特徴とする。
【００２０】
本発明においては、記録予約に係る番組に検索用のキーワードが含まれている場合、放送時間が延長される可能性があると判定し、ユーザに対して報知する。これにより、野球又はサッカー等の番組を予約して記録する場合に、野球又はサッカー等の番組を放送時間が延長される可能性のある番組と判定できるため、これを報知されたユーザが記録予約の記録時刻を変更することができる。
【００２１】
また、本発明に係る記録装置は、記録予約に係る番組の前の時間帯に放送され、且つ、記録予約に係る番組と同じチャンネルで放送される番組が、前記検索手段が検索した番組に含まれているか否かに応じて、記録予約に係る番組の放送時間が変更される可能性があるか否かを判定する判定手段と、該判定手段が、放送時間が変更される可能性があると判定した場合に、報知を行う報知手段とを備えることを特徴とする。
【００２２】
本発明においては、記録予約に係る番組と同じチャンネルで前の時間帯に放送される番組に検索用のキーワードが含まれている場合、記録予約に係る番組を放送時間が変更される可能性がある番組と判定し、ユーザに対して報知する。これにより、ドラマ又は映画等の番組が野球又はサッカー等の番組後に放送されており、ユーザがドラマ又は映画等の番組を予約して記録する場合に、野球又はサッカー等の番組を放送時間が延長される可能性がある番組と検索し、その後に放送されるドラマ又は映画等の番組を放送時間が変更される可能性がある番組と判定できるため、これを報知されたユーザが記録予約の記録時刻を変更することができる。
【００２３】
また、本発明に係る記録装置は、前記判定手段が記録予約に係る番組の放送時間が変更される可能性があると判定した場合、前記記録予約に係る番組の番組情報に含まれるキーワードに応じて、前記記録予約に係る番組の放送時間が変更される可能性の程度を算出する算出手段を備え、前記報知手段は、前記算出手段が算出した放送時間が変更される可能性の程度を報知するようにしてあることを特徴とする。
【００２４】
本発明においては、記録予約に係る番組の放送時間が変更される可能性の程度を算出する。放送時間が変更される可能性の程度は、記録予約に係る番組の番組情報に、複数のキーワードのうちのどの程度が含まれているかから算出する。これにより、野球又はサッカー等の番組が延長して放送される可能性の程度をユーザに報知できる。
【００２５】
また、本発明に係る記録装置は、前記判定手段が記録予約に係る番組の放送時間が変更される可能性があると判定した場合、前記検索手段が検索した番組に含まれ、前記記録予約に係る番組の前の時間帯に放送され、且つ、記録予約に係る番組と同じチャンネルで放送される番組の番組情報に含まれるキーワードに応じて、前記記録予約に係る番組の放送時間が変更される可能性の程度を算出する算出手段を備え、前記報知手段は、前記算出手段が算出した放送時間が変更される可能性の程度を報知するようにしてあることを特徴とする。
【００２６】
本発明においては、記録予約に係る番組の放送時間が変更される可能性の程度を算出する。放送時間が変更される可能性の程度は、記録予約に係る番組の前の時間帯に同じチャンネルで放送される番組の番組情報に、複数のキーワードのうちのどの程度が含まれているかから算出する。これにより、野球又はサッカー等の番組の後に放送されるドラマ又は映画等の番組が放送時間を変更されて放送される可能性の程度をユーザに報知できる。
【００２７】
また、本発明に係る記録装置は、前記キーワード記憶手段が記憶したキーワードに、それぞれ重み付けを行う手段を備え、前記算出手段は、各キーワードに付された重みに応じて、記録予約に係る番組の放送時間が変更される可能性の程度を算出するようにしてあることを特徴とする。
【００２８】
本発明においては、各キーワードに対して重み付けを行い、キーワードに付された重みを考慮して番組の放送時間が変更される可能性の程度の算出を行う。実際に放送時間が変更された番組の番組情報に含まれていたキーワードに対してより大きな重み付けを行うことにより、より確実な可能性の程度をユーザに対して報知できる。
【００２９】
また、本発明に係る記録装置は、前記判定手段が記録予約に係る番組の放送時間が変更される可能性があると判定した場合に、前記記録予約に係る番組の記録時刻を変更するか否かの指示を受け付ける手段を備えることを特徴とする。
【００３０】
本発明においては、記録予約に係る番組の放送時間が変更される可能性がある場合に、記録予約の記録時刻を変更するか否かをユーザが判断し、ユーザの判断に応じて記録時刻の変更を行う。これにより、放送時間が変更される可能性があると判定されたが、実際には予定された放送時間内に番組が終了することが確実である場合に、ユーザの判断で記録時刻の変更を行わないようにできる。例えば、野球の後に放送される映画を記録する場合、野球が予定の時間内に終了することが明らかであるとユーザが判断できる場合には、映画の記録時刻を変更する必要がない。
【００３１】
また、本発明に係る記録装置は、記録予約の記録時刻を延長する時間を受け付ける延長時間受付手段と、前記判定手段が放送時間が変更される可能性があると判定した番組に係る記録予約の記録時刻を、前記延長時間受付手段が受け付けた時間遅らせる時刻変更手段とを備えることを特徴とする。
【００３２】
本発明においては、記録予約を延長する時間をユーザから受け付け、受け付けた延長時間に応じて記録予約の終了時刻を遅らせる。ユーザが延長時間を入力できるため、番組の放送状況又はＥＰＧの内容等に応じて、最適な延長時間を決定し、記録予約の終了時刻を遅らせることができる。
【００３３】
また、本発明に係る記録装置は、前記キーワード記憶手段には、予め一又は複数のキーワードを記憶してあり、前記キーワード受付手段は、予め記憶してあるキーワードを、受け付けたキーワードに変更可能にしてあることを特徴とする。
【００３４】
本発明においては、予め一又は複数のキーワードを記憶しておき、ユーザからキーワードの入力があった場合に、キーワードの追加又は変更を行う。予めキーワードが用意されているため、キーワードの入力を行わずに記録装置を使用することができる。予め用意されたキーワードが有効でない場合には、これを変更して、別のキーワードを用いることができる。
【発明の効果】
【００３５】
本発明による場合は、ユーザからのキーワードの入力を受け付けて、放送時間が変更される可能性がある番組の検索に用いるキーワードを追加又は変更する構成とすることにより、番組の放送状況又はＥＰＧの内容等に応じて、より検索効率の高いキーワードを設定することができるため、放送時間が変更される可能性がある番組をより確実に検索することができ、ユーザが所望の番組を見逃す虞を少なくできる。
【００３６】
また、本発明による場合は、記録予約に係る番組に検索用のキーワードが含まれている場合、放送時間が延長される可能性があると判定し、ユーザに対して報知する構成とすることにより、野球又はサッカー等の放送時間が延長される可能性がある番組を判定できるため、これを報知されたユーザが記録予約の記録時刻を変更することができ、所望の番組を見逃す虞を少なくできる。
【００３７】
また、本発明による場合は、記録予約に係る番組と同じチャンネルで前の時間帯に放送される番組に検索用のキーワードが含まれている場合、記録予約に係る番組を放送時間が変更される可能性がある番組と判定し、ユーザに対して報知する構成とすることにより、野球又はサッカー等の番組の後に放送されるドラマ又は映画等の番組を判定できるため、これを報知されたユーザが記録予約の記録時刻を変更することができ、所望の番組を見逃す虞を少なくできる。
【００３８】
また、本発明による場合は、記録予約に係る番組の番組情報に、複数のキーワードのうちのどの程度が含まれているかに応じて、番組の放送時間が変更される可能性の程度を算出してユーザに報知する構成とすることにより、野球又はサッカー等の番組が延長して放送される可能性の程度をユーザが知ることができ、記録時刻の変更を行うか否かを判断しやすいため、ユーザが記録予約の設定を簡単に行うことができる。
【００３９】
また、本発明による場合は、記録予約に係る番組の前の時間帯に同じチャンネルで放送される番組の番組情報に、複数のキーワードのうちのどの程度が含まれているかに応じて、番組の放送時間が変更される可能性の程度を算出してユーザに報知する構成とすることにより、野球又はサッカー等の番組の後に放送されるドラマ又は映画等の番組が放送時間を変更されて放送される可能性の程度をユーザが知ることができ、記録時刻の変更を行うか否かを判断しやすいため、ユーザが記録予約の設定を簡単に行うことができる。
【００４０】
また、本発明による場合は、キーワードに対して重み付けを行い、番組の放送時間が変更される可能性の程度の算出を行う際に、キーワードに付された重みを考慮して算出を行う構成とすることにより、番組の放送状況又はＥＰＧの内容等に対応して変更の可能性の程度を算出することができ、より確度の高い算出結果をユーザに対して報知できる。
【００４１】
また、本発明による場合は、記録予約に係る番組の放送時間が変更される可能性がある場合に、記録予約の記録時刻を変更するか否かを受け付ける構成とすることにより、例えば、放送時間が変更される可能性があると判定されたが、実際には予定された放送時間内に番組が終了することが確実である場合に、ユーザの判断で記録時刻の変更を行わないようにできるため、記録媒体の記録容量を節約できるなど、記録装置の使い勝手を向上することができる。
【００４２】
また、本発明による場合は、ユーザから延長時間を受け付けて、受け付けた延長時間に応じて記録予約の終了時刻を遅らせる構成とすることにより、番組の放送状況又はＥＰＧの内容等に応じて、ユーザが最適な延長時間を決定し、記録予約の終了時刻を遅らせることができるため、記録装置の使い勝手を向上することができる。
【００４３】
また、本発明による場合は、予め一又は複数のキーワードを記憶しておき、ユーザからキーワードの入力があった場合に、キーワードの追加又は変更を行う構成とすることにより、ユーザがキーワードを入力していない場合であっても、番組の放送時間が延長されるか否かの判断を行うことができるため、不慣れなユーザが記録装置を使用する場合の使い勝手を向上することができる。
【発明を実施するための最良の形態】
【００４４】
以下、本発明をその実施の形態を示す図面に基づき具体的に説明する。図１は、本発明に係るハードディスクレコーダのハードウェア構成を示すブロック図である。図において１はハードディスクレコーダであり、ハードディスクレコーダ１には図示しないケーブルを介してＣＲＴディスプレイ又は液晶ディスプレイ等の外部の表示装置５１が接続される。ハードディスクレコーダ１は、内部のハードディスク１９に記録された番組又はチューナ１１により受信された番組を、映像及び音声の出力端子を有する出力部１５から表示装置５１へ出力し、表示装置５１に番組を表示する。また、ハードディスクレコーダ１は、ユーザが遠隔操作を行うためのリモコン（リモートコントローラ）５２を備えている。
【００４５】
ハードディスクレコーダ１が備えるチューナ１１は、地上波アナログ放送を受信するチューナである。チューナ１１が受信したアナログの番組信号は、Ａ／Ｄ変換部１３へ与えられ、Ａ／Ｄ変換部１３にてデジタルの番組データに変換される。更に、Ａ／Ｄ変換部１３にて変換された番組データはエンコーダ１４へ与えられる。エンコーダ１４は、与えられた番組データをＭＰＥＧ２方式のデータに圧縮するものであり、圧縮された番組データは制御部１０へ与えられる。
【００４６】
制御部１０は、ハードディスクレコーダ１の各部の動作を制御しており、番組の記録を行う場合には、エンコーダ１４から与えられた番組データをハードディスクコントローラ２０へ与えて、ハードディスク１９への記録を行う。また、ハードディスク１９に記録された番組の再生を行う場合には、制御部１０は、ハードディスクコントローラ２０を介してハードディスク１９から圧縮された番組データを読み出す。
【００４７】
ハードディスク１９から読み出された番組データはデコーダ１８へ与えられ、デコーダ１８にて伸張されてＤ／Ａ変換部１７へ与えられる。Ｄ／Ａ変換部１７は、与えられたデジタルの番組データをアナログの番組信号に変換し、選択部１６へ与える。選択部１６には、Ｄ／Ａ変換部１７が変換した番組信号及びチューナ１１が受信した番組信号が与えられ、更に、制御部１０からメニュー及び記録予約確認画面等の表示命令が与えられる。
【００４８】
ハードディスク１９に記録された番組を表示装置５１に表示する場合、選択部１６は、Ｄ／Ａ変換部１７からの番組信号を出力部１５へ与える。放送されている番組をリアルタイムで表示装置５１に表示する場合は、選択部１６は、チューナ１１からの番組信号を出力部１５へ与える。また、選択部１６は、制御部１０からメニュー又は記録予約確認画面等の表示命令が与えられた場合は、番組信号を出力部１５へ与えず、予め用意されたメニュー又は記録予約確認画面等の画像信号を出力部１５へ与える。出力部１５には、映像出力及び音声出力用の出力端子が備えられており、選択部１６から与えられた番組信号は出力端子に接続された表示装置５１へ与えられ、表示装置５１に表示される。
【００４９】
チューナ１１が受信する番組信号には、放送される番組の番組名、放送時刻、ジャンル、出演者及び内容説明等の情報を有するＥＰＧが重畳されており、ＥＰＧ取得部１２によりチューナ１１が受信した番組信号からＥＰＧが分離されて、制御部１０へ与えられる。制御部１０は、与えられたＥＰＧをメモリ２１に記憶する。また、制御部１０は、番組表を表示装置５１に表示する場合には、メモリ２１からＥＰＧを読み出して番組表を作成し、選択部１６へ番組表の表示命令と共に与える。番組表及び表示命令を与えられた選択部１６は、番組表を出力部１５へ与えて、表示装置５１に番組表を表示する。
【００５０】
メモリ２１には、前述のＥＰＧを記憶するＥＰＧ記憶部２１ａと、記録チャンネル、記録開始時刻、記録終了時刻及び記録画質等の情報を含む記録予約を記憶する記録予約記憶部２１ｂと、放送時間が延長される可能性がある番組を検索するためのキーワードを記憶するキーワード記憶部２１ｃとが設けられている。キーワード記憶部２１ｃには、５つのキーワードを記憶することができ、ハードディスクレコーダ１の製品出荷時には、デフォルトのキーワードとして”延長”、”野球”及び”繰り下げ”の３つのキーワードが記憶されている。メモリ２１は、フラッシュメモリ又はＥＥＰＲＯＭ等の不揮発性の書き換え可能なメモリ素子で構成されている。
【００５１】
また、ハードディスクレコーダ１には、操作部２２及び赤外線受光部２３が備えられている。操作部２２には、録画、再生、選局及び設定メニュー表示等の複数のボタンが設けられており、ユーザからの操作を受け付けて、制御部１０へユーザからの操作要求を与えるようにしてある。リモコン５２には、操作部２２と同様に、操作を受け付けるための複数のボタンが設けられており、ユーザからの操作要求を赤外線信号に変換して図示しない赤外線発光部から送信する。赤外線受光部２３は、リモコン５２から送信される赤外線信号を電気信号の操作要求に変換して制御部１０へ与えるものである。
【００５２】
ハードディスクレコーダ１では、ユーザからの操作要求に応じて、番組の記録及び再生等を行うことができ、また、記録時刻及びチャンネル等の記録予約を設定して番組の記録を行うことができる。記録予約の設定を行う場合には、取得したＥＰＧから番組表を表示し、番組表からユーザが番組を選択することで行うことができ、番組の記録時刻及びチャンネル等を入力せずに記録予約の設定を行うことができる。
【００５３】
また、ハードディスクレコーダ１は、野球又はサッカー等のような放送時間が延長される可能性がある番組を、取得したＥＰＧから検索する機能を有している。これにより、ユーザが設定した記録予約に関する番組が、野球若しくはサッカー等である場合、又は野球若しくはサッカー等の後に放送されるドラマ又は映画等である場合、放送時間が変更される可能性があると判定することができ、ユーザに対して記録予約の終了時刻の変更を促すことができる。
【００５４】
ハードディスクレコーダ１は、ＥＰＧから放送時間が延長される可能性がある番組を検索する場合に、予め設定された検索用のキーワードを番組情報に含む番組をＥＰＧから検索することで行う。検索用のキーワードはメモリ２１のキーワード記憶部２１ｃに複数記憶されており、ユーザが操作部２２又はリモコン５２を操作することにより、追加又は変更することができるようにしてある。また、延長される可能性がある番組の番組情報中に、検索用のキーワードがいくつ含まれているかを調べ、これを延長の可能性としてユーザに対して報知するようにしてある。更に、ユーザが各キーワードに対して重み付けを行うことができるようにしてあり、キーワードの重みを考慮して延長の可能性を算出するようにしてある。
【００５５】
図２は、本発明に係るハードディスクレコーダ１のキーワード設定を行う場合に制御部１０が行う処理を示すフローチャートである。キーワードの設定は、操作部２２又はリモコン５２に設けられた図示しない「設定メニュー」ボタンを押下し、表示装置５１に表示されたメニューからキーワード設定の項目を選択することで行うことができる。制御部１０は、キーワード設定の項目が選択されたか否かを調べ（ステップＳ１）、選択されていない場合は（Ｓ１：ＮＯ）、選択されるまで待機する。
【００５６】
キーワード設定の項目が選択された場合（Ｓ１：ＹＥＳ）、メモリ２１のキーワード記憶部２１ｃから既に登録されているキーワードを読み出す（ステップＳ２）。次いで、読み出したキーワード及びキーワード設定画面の表示命令を選択部１６へ与え、キーワード設定画面を出力部１５を介して表示装置５１に表示する（ステップＳ３）。
【００５７】
図３、図４及び図５は、本発明に係るハードディスクレコーダ１が表示するキーワード設定画面の表示例である。本実施の形態のハードディスクレコーダ１は、５つのキーワードをキーワード記憶部２１ｃに記憶し、放送時間が変更される可能性がある番組をＥＰＧから検索することができる。
【００５８】
図３に示すキーワード設定画面では、画面の最上部に画面のタイトル及び日時が表示され、この下に、キーワード設定画面に関する情報が２〜３行の文字列で簡単に説明されている。説明の文字列の下には、それぞれにキーワードが表示され、上下に並べて配された５つの長方形状のボックスと、キーワードが表示されたボックスの右隣にそれぞれ並べて配され、各キーワードの重みが表示された５つの長方形状のボックスと、キーワードが表示されたボックスの下に配され、”設定終了”の文字が記載された１つの長方形状のボックスとの合計１１個のボックスが設けられている。ボックスの周囲を囲む長方形状のカーソル３１を操作部２２又はリモコン５２に設けられたカーソルキーによって上下左右に移動させ、「決定」ボタンを押下することで、１１個のボックスのうちの１つを選択できるようにしてある。
【００５９】
キーワードが表示された５つのボックスのうちの１つが選択された場合には、キーワードの入力画面が表示され、ユーザからのキーワードの入力を受け付けるようにしてある。また、各キーワードの重みが表示された５つのボックスのうちの１つが選択された場合には、対応するキーワードの重みを設定する画面が表示され、１〜１０の１０段階で重みを設定できるようにしてある。”設定終了”のボックスが選択された場合には、キーワードの設定を終了し、番組の表示を行う。
【００６０】
キーワードのボックスが選択された場合、図４に示すように、キーワード選択画面にキーワード入力ウインドウ３２が表示され、キーワードの文字入力を行うことができる。キーワード入力ウインドウ３２では、ひらがな、カタカナ、英数及び記号の入力を行うことができ、操作部２２又はリモコン５２に設けられた「青」ボタン及び「緑」ボタンを用いることで、漢字変換を行うことができる。「黄」ボタンが押下された場合は、キーワードの文字入力を終了し、キーワード入力ウインドウ３２を非表示にして、キーワード設定画面に戻る。
【００６１】
重みのボックスが選択された場合、図５に示すように、キーワード選択画面に重み設定ウインドウ３３が表示され、キーワードの重みを設定することができる。重み設定ウインドウ３３では、設定対象のキーワードが表示されており、操作部２２又はリモコン５２に設けられたカーソルキーを左右に動かすことで、１〜１０までの１０段階で重みを増減することができる。操作部２２又はリモコン５２に設けられた「決定」ボタンが押下された場合には、重み設定ウインドウ３３を非表示にして、キーワード設定画面に戻る。
【００６２】
図２に示すフローチャートのステップＳ３にてキーワード設定画面の表示を行った後、制御部１０は、キーワード設定画面の設定終了のボックスが選択されるか又は「終了」ボタンが押下されるかによって、キーワードの設定が終了したか否かを調べる（ステップＳ４）。設定が終了していない場合（Ｓ４：ＮＯ）、ステップＳ３へ戻って設定が終了するまでキーワード設定画面を表示する。キーワードの設定が終了した場合（Ｓ４：ＹＥＳ）、設定された５つのキーワード及び各キーワードの重みを関連付けて、メモリ２１のキーワード記憶部２１ｃに記憶し（ステップＳ５）、処理を終了する。
【００６３】
図６及び図７は、本発明に係るハードディスクレコーダ１の記録予約の設定を行う場合に制御部１０が行う処理を示すフローチャートである。記録予約の設定は、操作部２２又はリモコン５２に設けられた「設定メニュー」ボタンを押下し、表示装置５１に表示されたメニューから予約設定の項目を選択することで行うことができる。制御部１０は、予約設定の項目が選択されたか否かを調べ（ステップＳ１１）、選択されていない場合は（Ｓ１１：ＮＯ）、選択されるまで待機する。
【００６４】
予約設定の項目が選択された場合（Ｓ１１：ＹＥＳ）、メモリ２１のＥＰＧ記憶部２１ａからＥＰＧの読み出しを行う（ステップＳ１２）。なお、ＥＰＧは、一日に数回から数十回程度、決められた時刻に受信することができる。ハードディスクレコーダ１は、決められた時刻に、ＥＰＧ取得部１２によりチューナ１１が受信した番組信号からＥＰＧを分離して取得し、取得したＥＰＧを予めＥＰＧ記憶部２１ａに記憶している。ステップＳ１２にてＥＰＧの読み出しを行った後、ＥＰＧから番組表を作成し、番組表の表示命令を選択部１６へ与えて、表示装置５１に番組表の表示を行う（ステップＳ１３）。
【００６５】
図８は、本発明に係るハードディスクレコーダ１が表示する番組表の表示例である。この表示例では、午後９時から１０時の間に放送される番組の一覧を表示したものである。番組表では、複数の長方形状のボックスが上下に並べて配されており、各ボックスにチャンネル番号、放送局名及び番組タイトルが表記されている。ボックスの周囲を囲む長方形状のカーソル３４を操作部２２又はリモコン５２に設けられたカーソルキーによって上下動させ、「決定」ボタンを押下することで、複数の番組のうち１つの番組を記録予約を行う番組として選択することができる。また、「戻る」ボタンを押下することで前の画面、即ち予約設定の項目を有する設定メニューが表示された画面に戻ることができる。更に、「青」ボタンを押下することで番組の詳細な情報を表示することができ、「赤」ボタンを押下することで番組の検索を行うことができ、「緑」ボタンを押下することで表示する番組表の日時を選択することができる。
【００６６】
ステップＳ１３にて番組表の表示を行った後、番組表から記録予約を行う番組が選択されたか否かを調べる（ステップＳ１４）。番組が選択されていない場合は（Ｓ１４：ＮＯ）、ステップＳ１３へ戻り、番組表の表示を継続する。番組が選択された場合（Ｓ１４：ＹＥＳ）、キーワード記憶部２１ｃに記憶されたキーワードを用いて、ＥＰＧから放送時間が延長される可能性がある番組を検索する（ステップＳ１５）。このとき行う検索の検索対象は、記録予約に係る番組と、この番組より前の時間帯に放送され、且つ、同じチャンネルにて放送される番組とである。
【００６７】
次いで、放送時間が延長される可能性があると検索された番組が、記録予約に係る番組と一致するか否かを調べる（ステップＳ１６）。なお、一致する場合とは、記録予約に係る番組が野球又はサッカー等の番組の場合であり、記録予約の番組自身が延長される場合である。ステップＳ１６にて一致した場合には（Ｓ１６：ＹＥＳ）、ステップＳ１５にて検索された番組の延長の可能性を算出する（ステップＳ１７）。
【００６８】
ステップＳ１７にて行う延長の可能性の算出は、以下に示す（１）式を用いて行われる。なお、（１）式において、Ｐは番組が実際に延長される可能性である。Ｋｉ（ｉ＝１〜５）は番組の番組情報にキーワードが含まれているか否かであり、含まれている場合は値として１が代入され、含まれていない場合は０が代入される。Ｗｉ（ｉ＝１〜５）は各キーワードの重みである。Ｗａは５つのキーワードの重みの合計である。
【００６９】
【数１】
2007060276.tif 000003
【００７０】
例えば、表１に示すように、キーワード及び各キーワードの重みが設定されているときに、番組の番組情報に”延長”及び”野球”の２つのキーワードが含まれている場合、この番組が実際に延長される可能性は、以下に示すように５３％と算出される。
【００７１】
【表１】
2007060276.tif 000004
【００７２】
【数２】
2007060276.tif 000005
【００７３】
ステップＳ１７にて延長の可能性を算出した後、ユーザが記録予約の終了時刻を延長するための、延長設定画面の表示命令を選択部１６へ与え、延長設定画面の表示を行う（ステップＳ１８）。
【００７４】
図９は、本発明に係るハードディスクレコーダ１が表示する延長設定画面の表示例である。なお、延長設定画面は後述の予約確認画面に延長設定ウインドウ３５を重ねて表示したものである。延長設定ウインドウ３５には、記録予約に係る番組の放送時間が変更される可能性がある旨をユーザに対して伝えるメッセージが表示される。このメッセージ中に、ステップＳ１７にて算出した延長の可能性が表示される。また、メッセージ表示の下には、５つの長方形状のボックスが左右に並べて配されている。各ボックスには延長時間が記載されており、左から順に”延長しない”、”３０分延長”、”６０分延長”、”９０分延長”及び”１２０分延長”である。ボックスの周囲を囲む長方形状のカーソル３６を操作部２２又はリモコン５２に設けられたカーソルキーによって左右に移動させ、「決定」ボタンを押下することで、記録予約の終了時刻の延長時間を設定することができる。
【００７５】
ステップＳ１８にて延長設定画面の表示を行った後、設定が終了したか否かを調べる（ステップＳ１９）。設定が終了していない場合（Ｓ１９：ＮＯ）、ステップＳ１８へ戻って延長設定画面の表示を継続する。延長時間の設定が終了した場合（Ｓ１９：ＹＥＳ）、記録予約の終了時刻を延長する（ステップＳ２０）。
【００７６】
ステップＳ１６にて、放送時間が延長される可能性があると検索された番組が記録予約に係る番組と一致しない場合（Ｓ１６：ＮＯ）、及びステップＳ２０にて記録予約の終了時刻を延長した後、記録予約に係る番組の前の時間帯に放送される番組と、放送時間が延長される可能性があると検索された番組とが一致するか否かを調べる（ステップＳ２１）。一致する場合（Ｓ２１：ＹＥＳ）、即ち記録予約に係る番組が野球又はサッカー等の番組の後で放送されるドラマ又は映画等である場合、ステップＳ１５にて検索された番組の延長の可能性を算出する（ステップＳ２２）。算出方法はステップＳ１７と同じである。
【００７７】
延長の可能性を算出した後、図９に示した延長設定画面を表示する（ステップＳ２３）。次いで、ユーザによる延長時間の設定が終了したか否かを調べ（ステップＳ２４）、設定が終了していない場合（Ｓ２４：ＮＯ）、ステップＳ２３へ戻って延長設定画面の表示を継続する。延長時間の設定が終了した場合（Ｓ２４：ＹＥＳ）、記録予約の終了時刻を延長する（ステップＳ２５）。
【００７８】
ステップＳ２１にて、記録予約に係る番組の前の時間帯に放送される番組と放送時間が延長される可能性があると検索された番組とが一致しない場合（Ｓ２１：ＮＯ）、及びステップＳ２５にて記録予約の終了時刻を延長した後、予約確認画面の表示命令を選択部１６へ与え、予約確認画面の表示を行う（ステップＳ２６）。
【００７９】
図１０は、本発明に係るハードディスクレコーダ１が表示する予約確認画面の表示例である。予約確認画面では、ＥＰＧから選択した番組に関して、番組の録画日、録画開始時刻、録画終了時刻、放送されるチャンネル、録画する場合の画質及び終了時刻の延長時間が表示される。また、ハードディスク１９に録画可能な残りの時間及び記録予約された番組の記録時間等が合わせて表示される。例えば、図１０は、１２月２５日の午後９時から１０時まで６チャンネルで放送される番組を標準画質で録画する設定であり、延長時間が３０分に設定されているため、記録時間は１時間３０分である。
【００８０】
予約確認画面の下部には、２つの長方形状のボックスが左右に並べて配されている。左側のボックスには”完了”の文字が記載され、記録予約の設定を完了するためのものである。右側のボックスには”詳細設定へ”の文字が記載され、記録する画質の変更、開始時刻及び終了時刻の１分単位での詳細な設定、並びに延長時間の詳細な設定等を行う画面（図示は省略する）を表示するためのものである。ボックスの周囲を囲む長方形状のカーソル３６を操作部２２又はリモコン５２に設けられたカーソルキーによって左右に移動させ、「決定」ボタンを押下することで、設定の完了又は詳細設定画面の表示を行うことができる。
【００８１】
ステップＳ２６にて予約確認画面の表示を行った後、予約の設定が完了したか否かを調べる（ステップＳ２７）。予約の設定が完了していない場合は（Ｓ２７：ＮＯ）、ステップＳ２６へ戻って、予約確認画面の表示を継続する。予約の設定が完了した場合（Ｓ２７：ＹＥＳ）、予約内容をメモリ２１の記録予約記憶部２１ｂに記憶して（ステップＳ２８）、処理を終了する。
【００８２】
以上の構成のハードディスクレコーダ１においては、放送時間が延長される番組をＥＰＧから検索するためのキーワードを、図３に示したキーワード設定画面により、ユーザが追加又は変更することができるため、ＥＰＧの内容及び番組の放送状況等に応じたキーワードを設定して、検索の効率を高めることができる。また、検索された番組のキーワード含有率、即ち、番組の番組情報中に５つのキーワードのうちのいくつが含まれているかを、延長の可能性としてユーザに表示することにより、ユーザが記録予約の終了時刻を延長するか否かを判断しやすくなる。各キーワードに重み付けを行い、延長の可能性を算出する場合に、（１）式に示す算出式を用い、各キーワードの重みを考慮してキーワード含有率、即ち延長の可能性を算出することにより、ＥＰＧの内容及び番組の放送状況等に応じた延長の可能性を算出することができる。
【００８３】
なお、本実施の形態においては、メモリ２１にＥＰＧ記憶部２１ａ、記録予約記憶部２１ｂ及びキーワード記憶部２１ｃを設ける構成を示したが、これに限るものではなく、これらの記憶部のうちの一部又は全部をハードディスク１９に設ける構成であってもよい。また、記録予約の設定をＥＰＧによる番組表から番組を選択して行う構成を示したが、これに限るものではなく、ユーザが開始時刻及び終了時刻等を直接入力して記録予約の設定を行う構成であってもよい。
【００８４】
また、図６及び図７に示したフローチャートにおいて、ステップＳ１５で行う検索は、記録予約に係る番組と、この番組より前の時間帯に放送され、且つ同じチャンネルにて放送される番組とを検索の対象としたが、これに限るものではなく、記録予約に係る番組のみ、又は、記録予約に係る番組より前の時間帯に放送され、且つ同じチャンネルにて放送される番組のみを検索対象としてもよい。また、同じチャンネルにて放送される番組のみでなく、全てのチャンネルにて放送される番組を検索対象としてもよい。
【００８５】
また、延長される可能性がある番組の検索を、記録予約の設定が行われた場合に行う構成としたが、これに限るものではなく、例えば、ＥＰＧの取得を行った際に、ＥＰＧに含まれる全ての番組に対して予め行っておく構成であってもよい。また、延長の可能性を算出した後に、延長設定画面を表示して、ユーザが記録予約の延長を行うか否か、及び延長する場合の延長時間を選択する構成を示したが、これに限るものではなく、例えば、延長の可能性が５０％以上である場合には、自動的に記録予約の記録時間を延長する構成であってもよい。
【００８６】
また、キーワード記憶部２１ｃに記憶されるキーワードを５つとしたが、これに限るものではなく、４つ以下又は６つ以上であってもよい。また、キーワード記憶部２１ｃに製品出荷時のデフォルトキーワードが３つ記憶されている構成としたが、これに限るものではなく、２つ以下又は４つ以上であってもよく、デフォルトキーワードが記憶されていない構成であってもよい。また、番組の延長の可能性をユーザに対して表示する機能は必ずしも備えていなくてもよい。また、各キーワードに重み付けを行う構成を示したが、これに限るものではなく、重み付けを行わない構成であってもよい。
【００８７】
また、本実施の形態に示す表示例は一例であって、これに限るものではない。また、本実施の形態においては、記録装置としてハードディスクレコーダ１を例に説明を行ったが、これに限るものではなく、他の記録装置、例えばビデオテープレコーダ、ＤＶＤレコーダ又はブルーレイレコーダ等であってもよく、複数の記録媒体を備える記録装置であってもよい。
【図面の簡単な説明】
【００８８】
【図１】本発明に係るハードディスクレコーダのハードウェア構成を示すブロック図である。
【図２】本発明に係るハードディスクレコーダのキーワード設定を行う場合に制御部が行う処理を示すフローチャートである。
【図３】本発明に係るハードディスクレコーダが表示するキーワード設定画面の表示例である。
【図４】本発明に係るハードディスクレコーダが表示するキーワード設定画面の表示例である。
【図５】本発明に係るハードディスクレコーダが表示するキーワード設定画面の表示例である。
【図６】本発明に係るハードディスクレコーダの記録予約の設定を行う場合に制御部が行う処理を示すフローチャートである。
【図７】本発明に係るハードディスクレコーダの記録予約の設定を行う場合に制御部が行う処理を示すフローチャートである。
【図８】本発明に係るハードディスクレコーダが表示する番組表の表示例である。
【図９】本発明に係るハードディスクレコーダが表示する延長設定画面の表示例である。
【図１０】本発明に係るハードディスクレコーダが表示する予約確認画面の表示例である。
【符号の説明】
【００８９】
１  ハードディスクレコーダ
１０  制御部
１１  チューナ
１２  ＥＰＧ取得部
１３  Ａ／Ｄ変換部
１４  エンコーダ
１５  出力部
１７  Ｄ／Ａ変換部
１８  デコーダ
１９  ハードディスク
２０  ハードディスクコントローラ
２１  メモリ
２１ａ  ＥＰＧ記憶部
２１ｂ  記録予約記憶部
２１ｃ  キーワード記憶部
２２  操作部
２３  赤外線受光部
３２  キーワード入力ウインドウ
３３  重み設定ウインドウ
３５  延長設定ウインドウ
５１  表示装置
５２  リモコン
【図１】
2007060276.tif 000006
【図２】
2007060276.tif 000007
【図３】
2007060276.tif 000008
【図４】
2007060276.tif 000009
【図５】
2007060276.tif 000010
【図６】
2007060276.tif 000011
【図７】
2007060276.tif 000012
【図８】
2007060276.tif 000013
【図９】
2007060276.tif 000014
【図１０】
2007060276.tif 000015
【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
放送される番組を受信する受信手段と、該受信手段が受信する番組に係る番組情報を取得する手段と、所定の番組の記録予約を受け付ける手段とを備えた記録装置において、
前記番組情報に含まれるキーワードに応じて、前記記録予約に係る番組の放送時間が変更される可能性の割合を算出し、ユーザに報知する報知手段を備えることを特徴とする記録装置。
【請求項２】
前記報知手段は、
前記記録予約に係る番組の番組情報に含まれるキーワードに応じて、前記記録予約に係る番組の放送時間が変更される可能性の割合を算出し、ユーザに報知することを特徴とする請求項１に記載の記録装置。
【請求項３】
前記報知手段は、
前記記録予約に係る番組の前の時間帯に放送され、且つ、記録予約に係る番組と同じチャンネルで放送される番組の番組情報に含まれるキーワードに応じて、前記記録予約に係る番組の放送時間が変更される可能性の割合を算出し、ユーザに報知することを特徴とする請求項１又は請求項２に記載の記録装置。
【請求項４】
前記記録予約に係る番組の放送時間が変更される可能性の割合を算出する際のキーワードを受け付けるキーワード受付手段を備えることを特徴とする請求項１乃至請求項３のいずれか１つに記載の記録装置。
【請求項５】
前記記録予約に係る番組の放送時間が変更される可能性の割合を算出する際のキーワードに重み付けを付与する手段を備え、
前記報知手段は、
前記キーワードに付与された重みに基づいて、前記記録予約に係る番組の放送時間が変更される可能性の割合を算出し、ユーザに報知することを特徴とする請求項１乃至請求項４のいずれか１つに記載の記録装置。
【請求項６】
前記記録予約に係る番組の記録時刻を変更するか否かの指示を受け付ける手段を備えることを特徴とする請求項１乃至請求項５のいずれか１つに記載の記録装置。
【請求項７】
記録予約の記録時刻を延長する時間を受け付ける延長時間受付手段を備え、
前記記録予約に係る番組の記録時刻を、前記延長時間受付手段が受け付けた時間遅らせることを特徴とする請求項６に記載の記録装置。
【手続補正２】
【補正対象書類名】明細書
【補正対象項目名】０００７
【補正方法】変更
【補正の内容】
【０００７】
特許文献２に記載の録画再生装置は、延長される可能性がある番組をＥＰＧから検索する場合に用いるキーワードは、装置にて予め決められたキーワードを用いるものであった。しかし、このキーワードは、延長される可能性がある番組を必ず検索できるというものではなく、例えば延長される可能性がある野球放送は検索できるが、サッカー放送又はバレーボール放送等の他の放送は検索できず、記録予約の記録時刻の変更を行うことができないなど、ユーザの関心度に応じた記録予約の記録時刻の変更の自由度が低いという問題がある。
【手続補正３】
【補正対象書類名】明細書
【補正対象項目名】０００８
【補正方法】変更
【補正の内容】
【０００８】
本発明は、斯かる事情に鑑みてなされたものであって、その目的とするところは、番組情報に含まれるキーワードに応じて、番組の放送時間が変更される可能性の割合を算出してユーザに報知する構成とすることにより、ユーザが記録予約の記録時刻の変更を行うか否かを判断することが可能な記録装置を提供することにある。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また本発明の他の目的とするところは、記録予約に係る番組の番組情報に含まれるキーワードに応じて、番組の放送時間が変更される可能性の割合を算出してユーザに報知する構成とすることにより、野球又はサッカー等の放送時間が変更される可能性がある番組について、ユーザが記録予約の記録時刻の変更を行うか否かを判断することが可能な記録装置を提供することにある。
【手続補正７】
【補正対象書類名】明細書
【補正対象項目名】００１２
【補正方法】変更
【補正の内容】
【００１２】
また本発明の他の目的とするところは、記録予約に係る番組の前の時間帯に同じチャンネルで放送される番組の番組情報に含まれるキーワードに応じて、番組の放送時間が変更される可能性の割合を算出してユーザに報知する構成とすることにより、野球又はサッカー等の後に放送される番組について、ユーザが記録予約の記録時刻の変更を行うか否かを判断することが可能な記録装置を提供することにある。
また本発明の他の目的とするところは、記録予約に係る番組の放送時間が変更される可能性の割合を算出する際のキーワードをユーザにより追加又は変更できる構成とすることにより、番組の放送状況又はＥＰＧの内容等に柔軟に対応でき、放送時間が変更される可能性がある番組をより確実に検索することができる記録装置を提供することにある。
【手続補正８】
【補正対象書類名】明細書
【補正対象項目名】００１３
【補正方法】変更
【補正の内容】
【００１３】
また本発明の他の目的とするところは、記録予約に係る番組の放送時間が変更される可能性の割合を算出する際のキーワードに対して重み付けを付与し、キーワードに付与された重みに基づき、番組の放送時間が変更される可能性の割合を算出してユーザに報知する構成とすることにより、番組の放送状況又はＥＰＧの内容等に対応して変更の可能性の割合を算出することができる記録装置を提供することにある。
【手続補正９】
【補正対象書類名】明細書
【補正対象項目名】００１４
【補正方法】変更
【補正の内容】
【００１４】
また本発明の他の目的とするところは、記録予約の記録時刻を変更するか否かを受け付ける構成とすることにより、記録時刻の変更をユーザが自由に行うことができる記録装置を提供することにある。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
本発明に係る記録装置は、放送される番組を受信する受信手段と、該受信手段が受信する番組に係る番組情報を取得する手段と、所定の番組の記録予約を受け付ける手段とを備えた記録装置において、前記番組情報に含まれるキーワードに応じて、前記記録予約に係る番組の放送時間が変更される可能性の割合を算出し、ユーザに報知する報知手段を備えることを特徴とする。
【手続補正１２】
【補正対象書類名】明細書
【補正対象項目名】００１８
【補正方法】変更
【補正の内容】
【００１８】
本発明においては、番組情報に含まれるキーワードに応じて、記録予約に係る番組の放送時間が変更される可能性の割合を算出し、これをユーザに報知する。これにより、ユーザは、前記番組の放送時間が変更されて放送される可能性の割合を見て、前記番組の記録予約の記録時刻を変更するか否か判断することができる。
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
また、本発明に係る記録装置における前記報知手段は、前記記録予約に係る番組の番組情報に含まれるキーワードに応じて、前記記録予約に係る番組の放送時間が変更される可能性の割合を算出し、ユーザに報知することを特徴とする。
【手続補正１８】
【補正対象書類名】明細書
【補正対象項目名】００２４
【補正方法】変更
【補正の内容】
【００２４】
本発明においては、記録予約に係る番組の番組情報に含まれるキーワードに応じて、前記番組の放送時間が変更される可能性の割合を算出する。これにより、野球又はサッカー等の番組が変更して放送される可能性の割合をユーザに報知できる。
【手続補正１９】
【補正対象書類名】明細書
【補正対象項目名】００２５
【補正方法】変更
【補正の内容】
【００２５】
また、本発明に係る記録装置における前記報知手段は、前記記録予約に係る番組の前の時間帯に放送され、且つ、記録予約に係る番組と同じチャンネルで放送される番組の番組情報に含まれるキーワードに応じて、前記記録予約に係る番組の放送時間が変更される可能性の割合を算出し、ユーザに報知することを特徴とする。
【手続補正２０】
【補正対象書類名】明細書
【補正対象項目名】００２６
【補正方法】変更
【補正の内容】
【００２６】
本発明においては、記録予約に係る番組の前の時間帯に放送され、且つ、記録予約に係る番組と同じチャンネルで放送される番組の番組情報に含まれるキーワードに応じて、前記番組の放送時間が変更される可能性の割合を算出する。これにより、野球又はサッカー等の番組の後に放送されるドラマ又は映画等の番組が放送時間を変更されて放送される可能性の割合をユーザに報知できる。
また、本発明に係る記録装置は、前記記録予約に係る番組の放送時間が変更される可能性の割合を算出する際のキーワードを受け付けるキーワード受付手段を備えることを特徴とする。
本発明においては、記録予約に係る番組の放送時間が変更される可能性の割合を算出する際のキーワードをユーザから受け付け、受け付けたキーワードを用いてＥＰＧから放送時間が変更される可能性がある番組を検索する。これにより、ユーザが追加又は変更した、より検索効率の高いキーワードで検索できるので、番組の放送状況又はＥＰＧの内容等に柔軟に対応した報知をすることができる。
【手続補正２１】
【補正対象書類名】明細書
【補正対象項目名】００２７
【補正方法】変更
【補正の内容】
【００２７】
また、本発明に係る記録装置は、前記記録予約に係る番組の放送時間が変更される可能性の割合を算出する際のキーワードに重み付けを付与する手段を備え、前記報知手段は、前記キーワードに付与された重みに基づいて、前記記録予約に係る番組の放送時間が変更される可能性の割合を算出し、ユーザに報知することを特徴とする。
【手続補正２２】
【補正対象書類名】明細書
【補正対象項目名】００２８
【補正方法】変更
【補正の内容】
【００２８】
本発明においては、各キーワードに対して重み付けを行い、キーワードに付与された重みに基づいて番組の放送時間が変更される可能性の割合の算出を行う。例えば、実際に放送時間が変更された番組の番組情報に含まれていたキーワードに対してより大きな重み付けを行うことにより、より確実な可能性の割合をユーザに対して報知することができる。
【手続補正２３】
【補正対象書類名】明細書
【補正対象項目名】００２９
【補正方法】変更
【補正の内容】
【００２９】
また、本発明に係る記録装置は、前記記録予約に係る番組の記録時刻を変更するか否かの指示を受け付ける手段を備えることを特徴とする。
【手続補正２４】
【補正対象書類名】明細書
【補正対象項目名】００３１
【補正方法】変更
【補正の内容】
【００３１】
また、本発明に係る記録装置は、記録予約の記録時刻を延長する時間を受け付ける延長時間受付手段を備え、前記記録予約に係る番組の記録時刻を、前記延長時間受付手段が受け付けた時間遅らせることを特徴とする。
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】変更
【補正の内容】
【００３５】
本発明によれば、記録予約に係る番組情報に含まれるキーワードに応じて、前記番組の放送時間が変更される可能性の割合を算出して、これをユーザに報知する構成とすることにより、前記番組の放送時間が変更されて放送される可能性の割合をユーザが知ることができ、前記番組の記録予約の記録時刻を変更するか否か判断することが可能となるため、ユーザが記録予約の設定を簡単且つ適切に変更することができる。
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】変更
【補正の内容】
【００３８】
また、本発明によれば、記録予約に係る番組の番組情報に含まれるキーワードに応じて、記録予約に係る番組の放送時間が変更される可能性の割合を算出して、ユーザに報知する構成とすることにより、野球又はサッカー等の番組が変更して放送される可能性の割合をユーザが知ることができ、記録時刻の変更を行うか否かを判断することが可能となるため、ユーザが記録予約の設定を簡単且つ適切に変更することができる。
【手続補正３１】
【補正対象書類名】明細書
【補正対象項目名】００３９
【補正方法】変更
【補正の内容】
【００３９】
また、本発明によれば、記録予約に係る番組の前の時間帯に同じチャンネルで放送される番組の番組情報に含まれるキーワードに応じて、記録予約に係る番組の放送時間が変更される可能性の割合を算出して、ユーザに報知する構成とすることにより、野球又はサッカー等の番組の後に放送されるドラマ又は映画等の番組が放送時間を変更されて放送される可能性の割合をユーザが知ることができ、記録時刻の変更を行うか否かを判断することが可能となるため、ユーザが記録予約の設定を簡単且つ適切に変更することができる。
また、本発明によれば、記録予約に係る番組の放送時間が変更される可能性の割合を算出する際のキーワードを、ユーザにより追加又は変更する構成とすることにより、番組の放送状況又はＥＰＧの内容等に柔軟に対応でき、より検索効率の高い算出結果をユーザに対して報知することができる。
【手続補正３２】
【補正対象書類名】明細書
【補正対象項目名】００４０
【補正方法】変更
【補正の内容】
【００４０】
また、本発明によれば、キーワードに対して重み付けを行い、番組の放送時間が変更される可能性の割合の算出を行う際に、キーワードに付与された重みに基づいて算出を行う構成とすることにより、番組の放送状況又はＥＰＧの内容等に対応して変更の可能性の割合を算出することができ、より確度の高い算出結果をユーザに対して報知することができる。
【手続補正３３】
【補正対象書類名】明細書
【補正対象項目名】００４３
【補正方法】削除
【補正の内容】
【手続補正３４】
【補正対象書類名】明細書
【補正対象項目名】００８６
【補正方法】変更
【補正の内容】
【００８６】
また、キーワード記憶部２１ｃに記憶されるキーワードを５つとしたが、これに限るものではなく、４つ以下又は６つ以上であってもよい。また、キーワード記憶部２１ｃに製品出荷時のデフォルトキーワードが３つ記憶されている構成としたが、これに限るものではなく、２つ以下又は４つ以上であってもよく、デフォルトキーワードが記憶されていない構成であってもよい。また、各キーワードに重み付けを行う構成を示したが、これに限るものではなく、重み付けを行わない構成であってもよい。
【手続補正書】
【提出日】平成18年4月12日(2006.4.12)
【手続補正１】
【補正対象書類名】特許請求の範囲
【補正対象項目名】請求項１
【補正方法】変更
【補正の内容】
【請求項１】
放送される番組を受信する受信手段と、該受信手段が受信する番組に係る番組情報を取得する手段と、番組の放送時間延長の可能性の有無を判定するためのキーワードを複数記憶するキーワード記憶手段と、該記憶されたキーワードを含む番組を前記番組情報から検索する検索手段と、所定の番組の記録予約を受け付ける手段とを備えた記録装置において、
前記番組情報に含まれる前記キーワードに応じて、前記記録予約に係る番組の放送時間が変更される可能性の割合を算出し、ユーザに報知する報知手段を備えることを特徴とする記録装置。
【手続補正２】
【補正対象書類名】明細書
【補正対象項目名】００１７
【補正方法】変更
【補正の内容】
【００１７】
本発明に係る記録装置は、放送される番組を受信する受信手段と、該受信手段が受信する番組に係る番組情報を取得する手段と、番組の放送時間延長の可能性の有無を判定するためのキーワードを複数記憶するキーワード記憶手段と、該記憶されたキーワードを含む番組を前記番組情報から検索する検索手段と、所定の番組の記録予約を受け付ける手段とを備えた記録装置において、前記番組情報に含まれる前記キーワードに応じて、前記記録予約に係る番組の放送時間が変更される可能性の割合を算出し、ユーザに報知する報知手段を備えることを特徴とする。